(57)【要約】【課題】１リールタイプのカートリッジを使用するとともに、回転ドラム式の磁気ヘッドを備えながら、長手方向長さならびに平面的な設置面積を小さく抑えることができるコンパクトな磁気記録再生装置を提供する。【解決手段】巻き取りリール２０のハブに、回転ドラム式の磁気ヘッド１０と巻き取りリール２０との間を通過するガイドポスト３３、３４、３５の移動経路に対応して切り欠かれた切欠部２０ｂを形成した。これにより、回転ドラム式の磁気ヘッド１０と巻き取りリール２０とを接近させて配置することが可能となり、磁気記録再生装置として長手方向長さならびに平面的な設置面積を小さく抑えることができる。【選択図】      図１
2004158122.tif 000002
【特許請求の範囲】
【請求項１】
磁気テープを収納した１リールタイプのカートリッジが着脱自在とされ、
カートリッジから引き出された磁気テープを巻き取る巻き取りリールと、
磁気テープに対して記録再生する回転ドラム式の磁気ヘッドと、
カートリッジが装着された際に磁気テープの始端部を巻き取りリールに搬送して連結させる搬送連結機構と、
磁気テープが巻き取りリールに連結されていないときには所定のアンロード位置に配置されている一方、磁気テープの始端部を巻き取りリールに連結させた後に、それぞれ所定の移動経路に沿って、磁気テープを回転ドラム式の磁気ヘッドに巻き付けるように案内する所定のロード位置まで移動する複数のガイドポストとを備えた磁気記録再生装置であって、
巻き取りリールのハブに、回転ドラム式の磁気ヘッドと巻き取りリールとの間を通過する少なくとも１つのガイドポストの移動経路に対応して切り欠かれた切欠部が形成されていることを特徴とする磁気記録再生装置。
【請求項２】
巻き取りリールに磁気テープが所定の径以上巻かれている場合には、ガイドポストがアンロード位置まで移動することを禁止し、巻き取りリールに巻き取られた磁気テープと干渉しないハーフロード位置までの移動だけを許可するように構成したことを特徴とする請求項１に記載の磁気記録再生装置。
【請求項３】
巻き取りリールに磁気テープが所定の径以上巻かれている場合には、カートリッジの排出指示があった際に、カートリッジ内に磁気テープを全て巻き戻した後に、ガイドポストをアンロード位置まで移動させるよう構成したことを特徴とする請求項１または２に記載の磁気記録再生装置。
【請求項４】
磁気テープを収納した１リールタイプのカートリッジが着脱自在とされ、
カートリッジから引き出された磁気テープを巻き取る巻き取りリールと、
磁気テープに対して記録再生する回転ドラム式の磁気ヘッドと、
カートリッジが装着された際に磁気テープの始端部を巻き取りリールに搬送して連結させる搬送連結機構と、
磁気テープを回転ドラム式の磁気ヘッドに巻き付けるように案内する複数のガイドポストとを備えた磁気記録再生装置であって、
カートリッジの厚み方向に沿う方向から平面視した状態で、巻き取りリールがカートリッジと重なり、上下位置が異なるように配置されていることを特徴とする磁気記録再生装置。
【発明の詳細な説明】
【０００１】
【発明の属する技術分野】
本発明は１リールタイプのカートリッジに対して記録再生動作を行う磁気記録再生装置に関する。
【０００２】
【従来の技術】
磁気テープを１つのリールに巻回して収納した、いわゆる１リールタイプのカートリッジに対して記録再生動作を行う磁気記録再生装置は既に知られている。この１リールタイプのカートリッジは、供給リールと巻き取りリールとを備えた２リールタイプのカートリッジと比較して、巻き取りリールがカートリッジ内部に設けられていないため、カートリッジをコンパクトに構成できる利点がある。
【０００３】
この１リールタイプのカートリッジにおいては、図１０（ａ）、（ｂ）に示すように、カートリッジ１に収納された磁気テープ２の始端部にリーダブロック３が設けられている。そして、カートリッジ１がカセットローディング機構（図示せず）によりＡ方向にローディングされて所定位置に収納されると、この状態から、リーダブロック３を、ガイドポスト４、記録ヘッド５を経て、巻き取りリール６まで搬送するように構成されている。
【０００４】
リーダブロック３を巻き取りリール６まで搬送する手法としては、主に以下の２通りの方法がある。
１．巻き取りリール６に連結した導入用テープの先端にフック部を取り付け、このフック部をリーダブロック３に引っ掛け、この状態で導入用テープを介してリーダブロック３を巻き取りリール６まで移動させて、巻き取りリール６にリーダブロック３を係止させる。
【０００５】
２．トランスポートと呼ばれる搬送連結機構を設け、リーダブロック３を搬送連結機構に設けたピンなどによりチャックして、搬送連結機構に設けたレバーやレールなどによりリーダブロック３を巻き取りリール６まで移動させる。
【０００６】
ここで、磁気テープ２に対して記録再生する記録ヘッド５としては、従来、図１０（ａ）、（ｂ）に示すような固定式の磁気ヘッドが用いられてきたが、これに代えて、高密度記録を行うなどのために、回転ドラム式の磁気ヘッドを用いることが提案されている（例えば、特許文献１、２参照）。
【０００７】
１リールタイプのカートリッジ１および回転ドラム式の磁気ヘッドを用いた、従来の磁気記録再生装置としては、図１１（ａ）、（ｂ）に示すように、平面視して、中央に回転ドラム式の磁気ヘッド（以下、回転磁気ヘッドと称す）１０を配置し、この回転磁気ヘッド１０の両側に所定の間隙を開けた状態で、手前側（図１１に示す場合には、左側）に、１リールタイプのカートリッジ１を収納可能に構成し、奥側（図１１に示す場合には、右側）に、巻き取りリール６を配置している。また、カートリッジ１のリーダブロック３を巻き取りリール６に搬送する搬送連結機構１１を、カートリッジ１の配置個所から巻き取りリール６の中心部にかけて配設しており（なお、図１１においては、搬送連結機構１１の配設箇所を簡略的に示している）、巻き取りリール６の片面には、カートリッジ１のリーダブロック３を巻き取りリール６の中心部近傍に取り込むためのチャック装置の移動経路に対応する箇所だけに切欠部６ａが形成されている。なお、７はカートリッジ１内に配設されて、磁気テープ２が巻かれた供給リールである。
【０００８】
また、カートリッジ１のリーダブロック３を巻き取りリール６に係止させた後には、図１２に示すように、複数のガイドポスト（磁気テープ２を回転磁気ヘッド１０に巻き付けるためのテープガイドローラ１２、１３や、磁気テープ２をキャプスタンモータ１４の回転軸であるキャプスタン１４ａに押さえつけるピンチローラ１５や、巻き取りリール６からの磁気テープ２をキャプスタン１４ａ側へ案内するガイドローラ１６）を、所定の移動経路ａ，ｂに沿って移動させるようになっており、これらの動作により、回転磁気ヘッド１０に磁気テープ２を巻きつけるとともに、キャプスタン１４ａにより磁気テープ２を所定速度で送って、磁気テープ２の情報を回転磁気ヘッド１０にて読み書きするように構成されている。
【０００９】
【特許文献１】
特開平５−３０３８０１号公報
【００１０】
【特許文献２】
特開平６−１０３６４９号公報
【００１１】
【発明が解決しようとする課題】
しかしながら、このような、回転磁気ヘッド１０を装備した磁気記録再生装置に、１リールタイプのカートリッジ１を使用する場合には、巻き取りリール６の最大巻き径を考慮して回転磁気ヘッド１０を巻き取りリール６から離れた位置に配置し、かつ、磁気テープ２を引き出す各種ガイドポスト（テープガイドローラ１２、１３、ピンチローラ１５、ガイドローラ１６など）が移動する際にこれらのガイドポストの一部が巻き取りリール６のハブなどに干渉しないように移動経路ａ，ｂを考慮して、回転磁気ヘッド１０と巻き取りリール６とをある程度離して配置せざるをえなかったため、磁気記録再生装置としての製品全体の長さ、特に、平面視して、カートリッジ１の収納位置と回転磁気ヘッド１０と巻き取りリール６とが並ぶ、長手（奥行）方向に対する長さＬ１や平面的な設置面積が、固定ヘッドタイプの記録ヘッド５を備えた磁気記録再生装置と比較して長くなってしまい、磁気記録再生装置が大型化してしまうという課題があった。
【００１２】
本発明は上記課題を解決するもので、１リールタイプのカートリッジを使用するとともに、回転ドラム式の磁気ヘッドを備えながら、長手方向長さならびに平面的な設置面積を小さく抑えることができるコンパクトな磁気記録再生装置を提供することを目的とするものである。
【００１３】
【課題を解決するための手段】
上記課題を解決するために本発明は、磁気テープを収納した１リールタイプのカートリッジが着脱自在とされ、磁気テープを巻き取る巻き取りリールと、
磁気テープに対して記録再生する回転ドラム式の磁気ヘッドと、磁気テープを所定速度で送るためのキャプスタンモータと、カートリッジが装着された際に磁気テープの始端部を巻き取りリールに搬送して連結させる搬送連結機構と、磁気テープが巻き取りリールに連結されていないときには所定のアンロード位置に配置されている一方、磁気テープの始端部を巻き取りリールに連結させた後に、それぞれ所定の移動経路に沿って、磁気テープを回転ドラム式の磁気ヘッドに巻き付けるように案内するとともにキャプスタンモータで回転させるキャプスタンに押し付ける所定のロード位置まで移動する複数のガイドポストとを備えた磁気記録再生装置であって、巻き取りリールのハブに、回転ドラム式の磁気ヘッドと巻き取りリールとの間を通過する少なくとも１つのガイドポストの移動経路に対応して切り欠かれた切欠部が形成されていることを特徴とする。
【００１４】
この構成によれば、１リールタイプのカートリッジを使用するとともに、回転ドラム式の磁気ヘッドを備えながら、長手方向長さならびに平面的な設置面積を小さく抑えることができるコンパクトな磁気記録再生装置を得ることが可能となる。
【００１５】
【発明の実施の形態】
上記課題を解決するために、請求項１記載の発明は、磁気テープを収納した１リールタイプのカートリッジが着脱自在とされ、磁気テープを巻き取る巻き取りリールと、磁気テープに対して記録再生する回転ドラム式の磁気ヘッドと、磁気テープを所定速度で送るためのキャプスタンモータと、カートリッジが装着された際に磁気テープの始端部を巻き取りリールに搬送して連結させる搬送連結機構と、磁気テープが巻き取りリールに連結されていないときには所定のアンロード位置に配置されている一方、磁気テープの始端部を巻き取りリールに連結させた後に、それぞれ所定の移動経路に沿って、磁気テープを回転ドラム式の磁気ヘッドに巻き付けるように案内するとともにキャプスタンモータで回転させるキャプスタンに押し付ける所定のロード位置まで移動する複数のガイドポストとを備えた磁気記録再生装置であって、巻き取りリールのハブに、回転ドラム式の磁気ヘッドと巻き取りリールとの間を通過する少なくとも１つのガイドポストの移動経路に対応して切り欠かれた切欠部が形成されていることを特徴とする。
【００１６】
この構成によれば、少なくとも１つのガイドポストが回転ドラム式の磁気ヘッドと巻き取りリールとの間を移動する際に、巻き取りリールのハブに形成された切欠部を通過することとなるため、回転ドラム式の磁気ヘッドと巻き取りリールとを接近させて配置することが可能となる。
【００１７】
請求項２記載の発明は、請求項１に記載の磁気記録再生装置において、巻き取りリールに磁気テープが所定の径以上巻かれている場合には、ガイドポストがアンロード位置まで移動することを禁止し、巻き取りリールに巻き取られた磁気テープと干渉しないハーフロード位置までの移動だけを許可するように構成したことを特徴とする。
【００１８】
この構成により、早送り時や巻き戻し時には、ガイドポストをハーフロード位置まで移動させることで、支障なく、早送りや巻き戻し動作を行うことができる。
【００１９】
請求項３記載の発明は、請求項１または２に記載の磁気記録再生装置において、巻き取りリールに磁気テープが所定の径以上巻かれている場合には、カートリッジの排出指示があった際に、カートリッジ内に磁気テープを全て巻き戻した後に、ガイドポストをアンロード位置まで移動させるよう構成したことを特徴とする。
【００２０】
この構成により、カートリッジの排出指示があった際には、カートリッジ内に磁気テープを全て巻き戻した後に、ガイドポストをアンロード位置まで移動させて、支障なく待機状態に戻すことができる。
【００２１】
請求項４記載の発明は、磁気テープを収納した１リールタイプのカートリッジが着脱自在とされ、磁気テープを巻き取る巻き取りリールと、磁気テープに対して記録再生する回転ドラム式の磁気ヘッドと、磁気テープを所定速度で送るためのキャプスタンモータと、カートリッジが装着された際に磁気テープの始端部を巻き取りリールに搬送して連結させる搬送連結機構と、磁気テープが巻き取りリールに連結されていないときには所定のアンロード位置に配置されている一方、磁気テープの始端部を巻き取りリールに連結させた後に、それぞれ所定の移動経路に沿って、磁気テープを回転ドラム式の磁気ヘッドに巻き付けるとともにキャプスタンモータで回転させるキャプスタンに押し付ける所定のロード位置まで移動する複数のガイドポストとを備えた磁気記録再生装置であって、カートリッジの厚み方向に沿う方向から平面視した状態で、巻き取りリールがカートリッジと重なり、上下位置が異なるように配置されていることを特徴とする。
【００２２】
この構成により、カートリッジの厚み方向に沿う方向から平面視した状態で、巻き取りリールがカートリッジと重なるので、磁気記録再生装置の平面的な設置面積を小さく抑えることができる。
【００２３】
以下、本発明の実施の形態を図面に基づき説明する。
図１〜図５はそれぞれ本発明の実施の形態に係る磁気記録再生装置の概略的な平面図で、図１は、カートリッジを収納して、リーダブロックを巻き取りリール側に搬送したアンロード状態を示し、図２はアンロード状態からハーフロード状態に切り換わった状態を示し、図３はロード状態を示し、図４はロード状態からハーフロード状態に切り換わった状態を示し、図５はリーダブロックを巻き取りリールから取り外す前のアンロード状態を示す。なお、この実施の形態では、カートリッジが収納されている側（図１〜図５における左側）が手前側（前面寄り側）であるとして説明する。また、ほぼ同機能の構成要素には同符号を付す。
【００２４】
図１に示すように、本発明の実施の形態にかかる磁気記録再生装置は、磁気テープ２を収納した１リール（供給リール７のみを有する）タイプのカートリッジ１がＡ方向に着脱自在とされている。また、磁気テープ２の始端部にはリーダブロック３が取り付けられている。
【００２５】
磁気記録再生装置には、磁気テープ２を巻き取る巻き取りリール２０と、磁気テープ２に対して記録再生する回転ドラム式の磁気ヘッド（以下、回転磁気ヘッドと称す）１０と、磁気テープ２を所定速度で送るためのキャプスタンモータ１４と、カートリッジ１が装着された際に磁気テープ２の始端部に取り付けられているリーダブロック３を巻き取りリール２０の被係合凹部２０ａに搬送して連結させる搬送連結機構（この実施の形態においては、リーダブロック３に係合する係合爪２１と、この係合爪２１の移動経路を案内するトランスファレール２２（図１参照）のみを示し、搬送連結機構の係合爪２１以外は、カートリッジ１などが収納される磁気記録再生装置のシャーシ３０上の箇所よりもさらに上方の箇所に配設されている）と、磁気テープ２を回転磁気ヘッド１０に巻き付けたり、キャプスタンモータ１４のキャプスタン１４ａに押し付けたりする複数のガイドポストとを備えている。
【００２６】
ここで、回転磁気ヘッド１０は、平面視して、磁気記録再生装置内の略中央位置に配置され、この回転磁気ヘッド１０の手前側に、１リールタイプのカートリッジ１が収納可能に配設され、奥側に、巻き取りリール２０が配置されている。
【００２７】
ガイドポストは、所定位置に固定されてカートリッジ１から出た箇所の磁気テープ２を案内する固定ガイドローラ３７と、シャーシ３０に形成された第１ガイド溝３０ａに沿って移動自在とされ、カートリッジ１から出た箇所の磁気テープ２を案内する第１のガイドポストとしてのガイドローラ３１と、シャーシ３０に形成された第２、第３ガイド溝３０ｂ，３０ｃに沿って移動自在とされ、磁気テープ２を回転磁気ヘッド１０に所定角度で巻き付ける第２、第３のガイドポストとしての第１、第２テープガイドローラ３２、３３と、シャーシ３０に形成された第４、第５ガイド溝３０ｄ，３０ｅに沿って移動自在とされ、磁気テープ２をキャプスタン１４ａ側に案内する第４、第５のガイドポストとしての第１、第２ガイドローラ３４、３５と、所定方向に移動自在でかつ昇降自在とされ、磁気テープ２をキャプスタン１４ａに摺接させるための第６のガイドポストとしてのピンチローラ３６とから構成されている。なお、図示しないが、固定ガイドローラ３７以外の各ガイドポストは、シャーシ３０の下方に配設されている駆動機構により、各ガイド溝３０ａ〜３０ｅに沿って移動される。
【００２８】
上記構成に加えて、本発明では、巻き取りリール２のハブに、回転磁気ヘッド１０と巻き取りリール２０との間を通過する第２テープガイドローラ３３および第１、第２ガイドローラ３４、３５の移動経路である第３、第４、第５ガイド溝３０ｃ，３０ｄ，３０ｅに対応して扇形状に切り欠かれた切欠部２０ｂが形成されている。そして、図１、図５に示すように、磁気テープ２が回転磁気ヘッド１０に巻きつけられていないアンロード状態の時には、この切欠部２０ｂの箇所に、第１、第２ガイドローラ３４、３５が配設されている。
【００２９】
上記構成において、磁気記録再生装置内にカートリッジ１が収納されると、搬送連結機構の係合爪２１がトランスファレール２２に沿って移動して、磁気テープ２の始端部に取り付けられているリーダブロック３を巻き取りリール２０の被係合凹部２０ａに搬送して連結させる。この磁気テープ２の引き出し動作が行われる際、図１に示すように、カートリッジ１収納箇所に近いガイドローラ３１は、第１ガイド溝３０ａにおける回転磁気ヘッド１０に近い側に配置されているが、第１、第２テープガイドローラ３２、３３、および第１、第２ガイドローラ３４、３５は、各ガイド溝３０ｂ，３０ｃ，３０ｄ，３０ｅにおける回転磁気ヘッド１０から離れた側に配置されている。
【００３０】
そしてこの後、図２に示すように、スタンバイ状態であるハーフロード状態とするために、ガイドローラ３１を第１ガイド溝３０ａにおける回転磁気ヘッド１０から離れる側に移動させると同時に、巻き取りリール２をｃ方向に回転させながら、第２テープガイドローラ３３を第３ガイド溝３０ｃにおける回転磁気ヘッド１０に近づいた中間位置まで移動させ、かつ、第１、第２ガイドローラ３４、３５を第４、第５ガイド溝３０ｄ，３０ｅにおけるキャプスタン１４ａに近づいた端部位置まで移動させる。なお、このハーフロード状態では、第２テープガイドローラ３３および第１、第２ガイドローラ３４、３５が巻き取りリール２のハブよりも外側の位置に配置されている。
【００３１】
前記ハーフロード状態から、読み取りまたは書き込みの指示があった際には、図３に示すように、第１、第２テープガイドローラ３２、３３が第２、第３ガイド溝３０ｂ、３０ｃにおける回転磁気ヘッド１０に近づいた端部位置まで移動されて、磁気テープ２が回転磁気ヘッド１０に所定角度巻きつけられた状態に維持される。また、これと同時に、ピンチローラ３６が、磁気テープ２を挟んだ状態でキャプスタン１４ａに押し付けられる。そして、このロード状態で、キャプスタン１４ａを回転させて所定速度で磁気テープ２を送りながら、回転磁気ヘッド１０を回転させて、磁気テープ２のデータの読み書きを行う。なお、この実施の形態においては、ピンチローラ３６は、前記ロード状態以外の時には、下方（または上方）の所定位置に退避して、磁気テープ２に干渉しないように配置されている。また、このロード状態では、第２テープガイドローラ３３が、カートリッジ１の収納箇所近傍まで大きく回りこむように配設されており、これにより、第１テープガイドローラ３２は、回転磁気ヘッド１０とカートリッジ１の収納箇所との間を通過しなくてもよいように構成されている。
【００３２】
また、前記ロード状態で磁気記録再生装置が早送りや巻き戻しの指示を受けた場合には、図４に示すように、前記ハーフロード状態に第２テープガイドローラ３３やピンチローラ３６が戻されて、早送り動作（高速サーチ動作）や巻き戻し動作が行われる。
【００３３】
さらに、この状態からカートリッジ１の排出が指示されると、まず、供給リール７および巻き取りリール２０の巻き戻し動作が行われて、カートリッジ１内に磁気テープ２が全て巻き戻される。そしてこの後、図５に示すように、ガイドローラ３１が第１ガイド溝３０ａにおける回転磁気ヘッド１０に近づく側に移動されると同時に、巻き取りリール２がｄ方向に回転されながら、第２テープガイドローラ３３が第３ガイド溝３０ｃにおける回転磁気ヘッド１０から離れた端部位置まで移動され、かつ、第１、第２ガイドローラ３４、３５が第４、第５ガイド溝３０ｄ，３０ｅにおけるキャプスタン１４ａから離れた端部位置まで移動されてアンロード状態とする。
【００３４】
上記構成によれば、第２テープガイドローラ３３および第１、第２ガイドローラ３４、３５は、アンロード状態からハーフロード状態に切り換わる際に、巻き取りリール２０のハブに形成された切欠部２０ｂを通過することとなるため、巻き取りリール２０におけるハブの最大外周ラインが回転磁気ヘッド１０に当接しない範囲で、回転磁気ヘッド１０と巻き取りリール２０とを接近させて配置することが可能となる。また、ロード状態の際に、第２テープガイドローラ３３をカートリッジ１の収納箇所寄りとなるように大きく巻く位置まで移動させ、第１テープガイドローラ３２は、回転磁気ヘッド１０とカートリッジ１の収納箇所との間を通らないように構成したことで、カートリッジ１の収納箇所を回転磁気ヘッド１０に近づけることも可能となる。
【００３５】
この結果、磁気記録再生装置としての製品全体の長さ、特に、平面視して、カートリッジ１の収納位置と回転磁気ヘッド１０と巻き取りリール２０とが並ぶ、長手（奥行）方向に対する長さＬ２（図１参照）や平面的な設置面積を、図１２に示すような構成のものに比べて、短くしたり小さくしたりすることができ（なお、図１から図５に示す本実施の形態の磁気記録再生装置においては、図１０から図１２に示す磁気記録再生装置よりも拡大して示している）、回転磁気ヘッド１０を有する磁気記録再生装置としてコンパクト化することができる。
【００３６】
また、巻き取りリール２０に磁気テープ２が巻かれている場合には、第２テープガイドローラ３３およびおよび第１、第２ガイドローラ３４、３５がアンロード位置まで移動することを禁止し、巻き取りリール２０に巻き取られた磁気テープ２と干渉しないハーフロード位置までの移動だけを許可するように構成したので、支障なく、早送りや巻き戻し動作を行うことができる。
【００３７】
さらに、カートリッジ１の排出指示があった際に、カートリッジ１内に磁気テープ２を全て巻き戻した後に、第２テープガイドローラ３３および第１、第２ガイドローラ３４、３５をアンロード位置まで移動させるように構成したことにより、支障なく、カートリッジ１を排出または導入可能な待機状態に戻すことができる。
【００３８】
なお、上記実施の形態においては、巻き取りリール２０の切欠部２０ｂの形状を扇形状（円弧形状）に形成した場合を述べたが、これに限るものではなく、図６に示すように、半月形状に切り欠いてもよい。また、切欠部２０ｂの切欠深さ（ハブの外周から中心部側への切り込み深さ）も、必ずしもハブの中心部近傍まで達していなくてもよく、この場合でも、切欠部２０ｂを全く設けていない場合と比べると、回転磁気ヘッド１０と巻き取りリール２０との離間距離を小さくすることができる。ここで、前記切欠深さが浅い場合には、巻き取りリール２０に磁気テープ２が所定の径（切欠部２０ｂが設けられている箇所の外周の径）以上巻かれており、磁気テープ２がその切欠部２０ｂからはみだしている場合には、ガイドポスト（第２テープガイドローラ３３およびおよび第１、第２ガイドローラ３４、３５など）がアンロード位置まで移動することを禁止し、巻き取りリール２０に巻き取られた磁気テープ２と干渉しないハーフロード位置までの移動だけを許可するように構成し、前記径以上磁気テープ２が巻かれている場合には、カートリッジ１の排出指示があった際に、カートリッジ１内に磁気テープ２を全て巻き戻した後に、前記ガイドポストをアンロード位置まで移動させるよう構成すればよい。
【００３９】
次に、図７〜図９は本発明の他の実施の形態に係る磁気記録再生装置を示す平面図、斜視図および側面断面図であり、上記実施の形態の磁気記録再生装置と同様な機能のものには同符号を付してその説明は省略する。
【００４０】
この実施の形態の磁気記録再生装置では、図７〜図９に示すように、カートリッジ１の厚み方向に沿う方向から平面視した状態で、巻き取りリール５０がカートリッジ１と重なり、上下位置が異なるように配置されている。なお、これらの図における３はリーダブロック、５６はリーダブロック３を案内するトランスファレール、５１ａ〜５１ｄは磁気テープを案内するガイドポスト、５２、５３は磁気テープ２を回転磁気ヘッド１０に所定角度で巻き付けるガイドポストとしての第１、第２テープガイドローラ、５４、５５は第１、第２テープガイドローラを案内するガイド溝であり、磁気テープ２の走行系が立体的に構成されている。
【００４１】
この構成において、カートリッジ１が磁気記録再生装置内に挿入されると、カートリッジ１の媒体始端部であるリーダブロック３がトランスファレール５６に沿って引き出され、引き出された磁気テープ２は複数のガイドポスト５１ａ〜５１ｄに案内されながら、カートリッジ１の下側に重なるように配置された巻き取りリール５０に立体的に収納される。そして、これらのガイドポスト５１ａ〜５１ｄにより案内された磁気テープ２の外側に配置された第１、第２テープガイドローラ５２、５３が、ガイド溝５４、５５に沿って回転磁気ヘッド１０近傍に移動されることで、磁気テープ２が回転磁気ヘッド１０に所定角度で巻き付けられてローディングが完了するようになっている。
【００４２】
この構成によっても、カートリッジ１の厚み方向に沿う方向から平面視した状態で、巻き取りリール５０がカートリッジ１と重なるように配置されているので、磁気記録再生装置の平面的な設置面積を小さく抑えることができる。
【００４３】
【発明の効果】
以上のように本発明によれば、巻き取りリールのハブに、回転ドラム式の磁気ヘッドと巻き取りリールとの間を通過する少なくとも１つのガイドポストの移動経路に対応して切り欠かれた切欠部を形成することにより、回転ドラム式の磁気ヘッドと巻き取りリールとを接近させて配置することが可能となり、この結果、回転ドラム式の磁気ヘッドを備えながら、長手方向長さならびに平面的な設置面積を小さく抑えることができるコンパクトな磁気記録再生装置を得ることができて、この磁気記録再生装置を備えたシステムの利用範囲が広がる。
【００４４】
また、巻き取りリールに磁気テープが所定の径以上巻かれている場合には、ガイドポストがアンロード位置まで移動することを禁止し、巻き取りリールに巻き取られた磁気テープと干渉しないハーフロード位置までの移動だけを許可するように構成したことにより、支障なく、早送りや巻き戻し動作を行うことができる。
【００４５】
また、巻き取りリールに磁気テープが所定の径以上巻かれている場合には、カートリッジの排出指示があった際に、カートリッジ内に磁気テープを全て巻き戻した後に、ガイドポストをアンロード位置まで移動させるよう構成したことにより、カートリッジの排出指示があった際に、支障なく待機状態に戻すことができる。
【００４６】
さらに、カートリッジの厚み方向に沿う方向から平面視した状態で、巻き取りリールがカートリッジと重なり、上下位置が異なるように配置させることによっても、磁気記録再生装置の平面的な設置面積を小さく抑えることができて、この磁気記録再生装置を備えたシステムの利用範囲が広がる。
【図面の簡単な説明】
【図１】本発明の実施の形態に係る磁気記録再生装置の概略的な平面図で、カートリッジを収納して、リーダブロックを巻き取りリール側に搬送したアンロード状態を示す。
【図２】同磁気記録再生装置のハーフロード状態を示す概略的な平面図を示す。
【図３】同磁気記録再生装置のロード状態を示す概略的な平面図を示す。
【図４】同磁気記録再生装置のハーフロード状態を示す概略的な平面図を示す。
【図５】同磁気記録再生装置のリーダブロックを巻き取りリールから取り外す前のアンロード状態を示す。
【図６】本発明の他の実施の形態に係る磁気記録再生装置の概略的な平面図である。
【図７】本発明のその他の実施の形態に係る磁気記録再生装置の概略的な平面図である。
【図８】同磁気記録再生装置の概略的な斜視図である。
【図９】同磁気記録再生装置の概略的な側面図である。
【図１０】（ａ）および（ｂ）はそれぞれ従来の磁気記録再生装置の概略的な平面図で、（ａ）はカートリッジを挿入する状態を示し、（ｂ）はカートリッジが収納された状態を示す。
【図１１】（ａ）および（ｂ）はそれぞれドラム式の磁気ヘッドを有する従来の磁気記録再生装置の概略的な平面図で、（ａ）はカートリッジを挿入する状態を示し、（ｂ）はカートリッジが収納された状態を示す。
【図１２】同従来の磁気記録再生装置の概略的な平面図を示し、ロード状態を示す。
【符号の説明】
１        カートリッジ
２        磁気テープ
３        リーダブロック
７        供給リール
１０      回転磁気ヘッド（回転ドラム式の磁気ヘッド）
１４      キャプスタンモータ
１４ａ    キャプスタン
２０、５０    巻き取りリール
２０ｂ    切欠部
２１      係合爪
２２      トランスファレール
３０      シャーシ
３０ａ    第１ガイド溝
３０ｂ    第２ガイド溝
３０ｃ    第３ガイド溝
３０ｄ    第４ガイド溝
３０ｅ    第５ガイド溝
３１      ガイドローラ（第１のガイドポスト）
３２      第１テープガイドローラ（第２のガイドポスト）
３３      第２テープガイドローラ（第３のガイドポスト）
３４      第１ガイドローラ（第４のガイドポスト）
３５      第１ガイドローラ（第５のガイドポスト）
３６      ピンチローラ（第６のガイドポスト）
５１ａ〜５１ｄ    ガイドポスト
５２      第１テープガイドローラ（ガイドポスト）
５３      第２テープガイドローラ（ガイドポスト）
【図１】
2004158122.tif 000003
【図２】
2004158122.tif 000004
【図３】
2004158122.tif 000005
【図４】
2004158122.tif 000006
【図５】
2004158122.tif 000007
【図６】
2004158122.tif 000008
【図７】
2004158122.tif 000009
【図８】
2004158122.tif 000010
【図９】
2004158122.tif 000011
【図１０】
2004158122.tif 000012
【図１１】
2004158122.tif 000013
【図１２】
2004158122.tif 000014